【手続補正書】
【提出日】平成16年10月22日(2004.10.22)
【手続補正１】
【補正対象書類名】明細書
【補正対象項目名】特許請求の範囲
【補正方法】変更
【補正の内容】
【特許請求の範囲】
【請求項１】
複数の撮影された画像データを格納する格納手段と、
前記格納手段から読み出されてインデックス画像表示された前記画像データからユーザが特定の画像データを選択する画像選択手段と、
前記画像選択手段によって選択された前記特定の画像データが他の画像データのうち関連を有する画像データが存在する場合には、前記特定の画像データと前記関連を有する画像データとの対応する特定領域を抽出して並べて拡大表示する表示手段とを有することを特徴とする画像表示装置。
【請求項２】
前記関連を有する画像データは、連続して撮影された一連の画像データであることを特徴とする請求項１に記載の画像表示装置。
【請求項３】
前記関連を有する画像データは、露出を変化させて連続して撮影された一連の画像データであることを特徴とする請求項１に記載の画像表示装置。
【請求項４】
前記関連を有する画像データは、撮影時に設定されるモードフラグを有する画像データであることを特徴とする請求項１に記載の画像表示装置。
【請求項５】
前記特定領域は、中心領域であることを特徴とする請求項１に記載の画像表示装置。
【請求項６】
前記特定領域は、縦方向における所定分割領域であることを特徴とする請求項１に記載の画像表示装置。
【請求項７】
前記特定領域は、横方向における所定分割領域であることを特徴とする請求項１に記載の画像表示装置。
【請求項８】
前記特定領域は、前記関連を有する画像データの枚数に応じて決定されることを特徴とする請求項５乃至７の何れか１項に記載の画像表示装置。
【請求項９】
複数の撮影された画像データを格納する格納手段を有する画像表示装置による画像処理方法であって、
前記格納手段から読み出されてインデックス画像表示された前記画像データからユーザが特定の画像データを選択する画像選択ステップと、
前記画像選択ステップによって選択された前記特定の画像データが他の画像データのうち関連を有する画像データが存在する場合には、前記特定の画像データと前記関連を有する画像データとの対応する特定領域を抽出して並べて拡大表示する表示ステップとを含むことを特徴とする画像処理方法。
【請求項１０】
請求項９に記載の画像処理方法をコンピュータに実行させるためのプログラム。
【請求項１１】
請求項１０に記載のプログラムを記録したコンピュータ読み取り可能な記録媒体。
【手続補正２】
【補正対象書類名】明細書
【補正対象項目名】０００９
【補正方法】変更
【補正の内容】
【０００９】
本発明は、上記問題点に鑑みてなされたものであり、並べて表示する画像データを間引くことなく細部まで再生可能とすることにある。
【手続補正３】
【補正対象書類名】明細書
【補正対象項目名】００１０
【補正方法】変更
【補正の内容】
【００１０】
【課題を解決するための手段】
本発明の画像表示装置は、複数の撮影された画像データを格納する格納手段と、前記格納手段から読み出されてインデックス画像表示された前記画像データからユーザが特定の画像データを選択する画像選択手段と、前記画像選択手段によって選択された前記特定の画像データが他の画像データのうち関連を有する画像データが存在する場合には、前記特定の画像データと前記関連を有する画像データとの対応する特定領域を抽出して並べて拡大表示する表示手段とを有することを特徴とする。
【手続補正４】
【補正対象書類名】明細書
【補正対象項目名】００１１
【補正方法】変更
【補正の内容】
【００１１】
本発明の画像処理方法は、複数の撮影された画像データを格納する格納手段を有する画像表示装置による画像処理方法であって、前記格納手段から読み出されてインデックス画像表示された前記画像データからユーザが特定の画像データを選択する画像選択ステップと、前記画像選択ステップによって選択された前記特定の画像データが他の画像データのうち関連を有する画像データが存在する場合には、前記特定の画像データと前記関連を有する画像データとの対応する特定領域を抽出して並べて拡大表示する表示ステップとを含むことを特徴とする。
【手続補正５】
【補正対象書類名】明細書
【補正対象項目名】００１２
【補正方法】変更
【補正の内容】
【００１２】
本発明のプログラムは、前記画像処理方法をコンピュータに実行させることを特徴とする。
【手続補正６】
【補正対象書類名】明細書
【補正対象項目名】００１３
【補正方法】変更
【補正の内容】
【００１３】
本発明のコンピュータ読み取り可能な記録媒体は、前記プログラムを記録したことを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００９９
【補正方法】変更
【補正の内容】
【００９９】
図７は、画像表示装置２８に表示される領域の一例を示す。図７（ａ）の塗部Ａはモニタパネルに表示される画像領域を示し、得られた画像データから画像ファイル生成部３２にて表示サイズ（モニタの表示ドット数）に合わせた最大の画像データを画像データメモリ３０から読み込んで再生されている。前記したように撮像された画像データは、各メモリから読み出すことでシステム制御回路５０にていつでも画像モニタにて表示可能となっているので、図７（ｂ）のように再生画像データの領域を分割して再生することも可能である。
【手続補正２４】
【補正対象書類名】明細書
【補正対象項目名】０１４３
【補正方法】変更
【補正の内容】
【０１４３】
【発明の効果】
本発明によれば、選択された画像データとその画像データと関連を有する画像データとの対応する特定領域を抽出して並べて拡大表示するように構成したので、上記各画像データを間引くことなく、細部まで再生することが可能となる。
【手続補正２５】
【補正対象書類名】図面
【補正対象項目名】図８
【補正方法】変更
【補正の内容】
【図８】
2003131654.tif 000001